(57)【要約】【課題】矯正装置を正確な位置に効率的に取り付けることができる、歯列矯正装置の位置決め方法を提供すること。【解決手段】患者の歯に基づいて歯型模型１を彫刻し、歯型模型１において矯正が必要な歯部１１の矯正装置取り付け位置に位置決め部材２を彫刻する工程と、矯正装置を縛り付けたベース単体を各歯部１１に貼付して、矯正装置を各位置決め部材２に嵌置して位置決めした後、光硬化樹脂で各ベース単体を相互に連接する工程と、連接されたベース単体を矯正装置と共に歯型模型１から取り外す工程と、連接されたベース単体と矯正装置を患者の歯に直接貼付して、矯正装置とベース単体を縛り付けた可撓部材を取り外し、矯正装置を歯の表面に固定する工程とを含む。【選択図】図２
2014217759.tif 000002
【特許請求の範囲】
【請求項１】
歯列矯正装置の位置決め方法であって、
患者の歯に基づいて歯型模型を彫刻し、該歯型模型において矯正が必要な歯部の矯正装置取り付け位置に位置決め部材を彫刻する工程と、
矯正装置を縛り付けたベース単体を歯型模型の各歯部に貼付して、矯正装置を各位置決め部材に嵌置して位置決めした後、光硬化樹脂で各ベース単体を相互に連接する工程と、
連接されたベース単体を矯正装置と共に歯型模型から取り外す工程と、
連接されたベース単体と矯正装置を患者の歯に直接貼付して、矯正装置とベース単体を縛り付けた可撓部材を取り外し、矯正装置を歯の表面に固定する工程と、
を含むことを特徴とする、歯列矯正装置の位置決め方法。
【請求項２】
前記位置決め部材が、前記歯部の表面から突出した壁面で囲んだ枠体より成ることを特徴とする、請求項１に記載の歯列矯正装置の位置決め方法。
【請求項３】
コンピュータで患者の歯をスキャンして、そのデータを歯型模型製作の根拠としてコンピュータに保存し、コンピュータで矯正が必要な歯と矯正装置取り付け位置を決定する工程を含むことを特徴とする、請求項１に記載の歯列矯正装置の位置決め方法。
【請求項４】
コンピュータで制御される彫刻機で歯型模型を彫刻することを特徴とする、請求項１に記載の歯列矯正装置の位置決め方法。
【発明の詳細な説明】
【技術分野】
【０００１】
本発明は、患者の歯型模型に矯正装置の位置を設定する位置決め部材により、矯正装置を位置決め部材に嵌置して位置決めすることで、矯正装置の取り付けをより便利且つ効率的にすることができる、歯列矯正装置の位置決め方法に関する。
【背景技術】
【０００２】
一般に、歪んだ歯並びを矯正するときは、歯の表面に矯正装置を貼付し、さらに各矯正装置を緊密に連接するのであるが、従来の矯正装置のほとんどは次のような方法で取り付けられる（特許文献１参照）。
１．まず患者の歯の状態に基づいて歯型模型を製作する。
２．歯型模型に十字線を描き、内縁に蝋材を塗布する。
３．矯正装置を十字線に基づいて歯型模型の内縁に合わせ、粉末成型で単体のベースを成型する。
４．可撓部材でベースと矯正装置を縛る。
５．取り付け時は矯正装置に接着剤を塗布し、逐一患者の歯に貼付する。
６．可撓部材を取り外してベース単体を外し、矯正装置を歯の表面に固定した後、各矯正装置を連接して取り付けが完了する。
【０００３】
上記従来の矯正装置の製作と取り付け方法は、特定の患者個人の歯に使用できるのみであることに加え、専門の歯型模型技師によってベースを作製する必要があり、且つ先に矯正装置を正確に位置決めする必要もあるため、製作と取り付けの過程全体に時間がかかり、効率が悪いだけでなく、取り付けのコストも高くなり、患者の経済的負担が増してしまう。
【先行技術文献】
【特許文献】
【０００４】
【特許文献１】米国特許第５５８６８８１号明細書
【発明の概要】
【発明が解決しようとする課題】
【０００５】
本発明が解決しようとする課題は、患者の歯型模型に矯正装置の位置を設定し、これら位置に位置決め部材を設置して、矯正装置を位置決め部材に嵌置して位置決めし、矯正装置の取り付けをより便利且つ効率的にすることができる、歯列矯正装置の位置決め方法を提供することにある。
【課題を解決するための手段】
【０００６】
発明の歯列矯正装置の位置決め方法は、まず患者の歯をコンピュータでスキャンした後、コンピュータで矯正が必要な歯の矯正装置取り付け位置を決定し、彫刻機で歯型模型を製作すると同時に、歯型模型の矯正装置取り付け位置に位置決め部材をそれぞれ彫刻し、矯正装置を縛り付けたベース単体を逐一歯型模型の歯部に貼付して、矯正装置を各位置決め部材に嵌置して位置決めした後、光硬化樹脂で各ベース単体を相互に連接し、光硬化樹脂が硬化した後、連接されたベース単体及び矯正装置を歯型模型から取り外し、矯正装置を取り付けるときは、連接されたベース単体と矯正装置を直接患者の歯に貼付した後、矯正装置とベース単体を縛り付けた可撓部材を外して、矯正装置を歯の表面に固定する工程を含む。
【０００７】
前記位置決め部材が、前記歯部の表面から突出した壁面で囲んだ枠体より成ることがある。
【発明の効果】
【０００８】
本発明によれば、位置決め部材を形成した歯型模型に、矯正装置を縛り付けるベース単体を組み合わせ、矯正装置を位置決め部材に嵌置して位置決めし、歯列矯正装置の位置決めがなされるため、矯正装置の取り付けを正確且つ効率的にすることができる。
【図面の簡単な説明】
【０００９】
【図１】本発明の実施例を示す歯列矯正装置の位置決め方法のフローチャートである。
【図２】本発明の実施例に係る歯型模型の位置決め部材形成前における斜視図である。
【図３】本発明の実施例に係る歯型模型の唇側位置決め部材形成後における斜視図である。
【図４】本発明の実施例に係る唇側矯正装置と歯型模型の要部分解斜視図である。
【図５】本発明の実施例に係る唇側矯正装置と歯型模型の要部断面図である。
【図６】本発明の実施例に係る歯型模型の唇側矯正装置取付状態における斜視図である。
【図７】本発明の実施例に係る歯型模型の舌側位置決め部材部材形成後における斜視図である。
【図８】本発明の実施例に係る舌側矯正装置と歯型模型の要部分解斜視図である。
【図９】本発明の実施例に係る舌側矯正装置と歯型模型の要部断面図である。
【発明を実施するための形態】
【００１０】
以下、本発明の実施例を図面に基づいて詳細に説明する。
図１に、本発明の歯列矯正装置の位置決め方法のフローチャートを示す。この図に示すように、本発明の歯列矯正装置の位置決め方法は次の工程を含む。
１．コンピュータで患者の歯をスキャンし、そのデータを歯型模型製作の根拠としてコンピュータに保存する。
２．コンピュータ（モニター）で矯正が必要な歯と矯正装置取り付け位置を排列する。
３．歯型模型の唇側（外側）で各歯部に位置決め部材を設置する位置を設定する。
４．コンピュータから彫刻機に出力し、彫刻機で歯型模型を製作すると同時に、歯型模型の矯正装置取り付け位置に位置決め部材を彫刻する。
５．矯正装置を縛り付けたベース単体を歯型模型の各歯部にそれぞれ貼付して、矯正装置を各位置決め部材に嵌置して位置決めした後、光硬化樹脂で各ベース単体を相互に連接する。
６．矯正装置の取り付け時は、連接されたベース単体と矯正装置を直接患者の歯に貼付した後、矯正装置とベース単体を縛り付けた可撓部材を外して矯正装置を歯の表面に固定し、矯正装置の取り付けをより便利且つ効率的にすることができる。
【００１１】
上記各工程を詳しく説明する。
まず、コンピュータで患者の歯をスキャンしてそのデータをコンピュータに保存し、コンピュータ（モニター）で矯正が必要な歯とその歯の矯正装置取り付け位置を決定する。歯型模型の各歯部を形成するために彫刻する凹陥部を設定して、コンピュータから彫刻機に出力し、図２と図３に示すように、彫刻機で歯型模型１を製作し、同時に歯型模型１の歯部１１において矯正装置取り付け位置に位置決め部材２を彫刻する。
本実施例において、位置決め部材２は、歯部１１の表面から適切な高さ突出する壁面で囲んだ枠体より成る。
【００１２】
図４と図５に示すように、歯型模型１の製作が完了した後、プラスチック射出成型されたベース単体３に唇側（外側）の矯正装置４を縛り付け、さらに、各ベース単体３をそれらベース単体３に縛り付けられた矯正装置４とともに歯型模型１に貼付し、各矯正装置４を歯型模型１の各歯部１１に設けられた位置決め部材２に嵌置して位置決めする。
ベース単体３は、患者の歯に係合される部材であって、水平鉤部３１と、水平鉤部３１から下方向に延伸された垂直部３２を含み、垂直部３２の適切な位置に横方向の位置決め溝３２１が設けられている。そして、可撓部材５を使用して、患者の歯の表面に固定される矯正装置４を位置決め溝３２１に沿って縛り、矯正装置４をベース単体３の垂直部３２の裏側に取り付ける。
【００１３】
図６に示すように、各ベース単体３をそれらベース単体３に縛り付けられた矯正装置４と共に歯型模型１に貼付し、各矯正装置４を歯型模型１の各歯部１１の位置決め部材２に嵌置して位置決めした後、光硬化樹脂６を各ベース単体３に貼付して、光硬化樹脂６により各ベース単体３を相互に連接する。
光硬化樹脂６が硬化した後、連接された各ベース単体３をそれらベース単体３に縛り付けられた矯正装置４と共に歯型模型１から取り外す。
次いで、各矯正装置４の背面に接着剤を塗布した後、連接された各ベース単体３をそれらベース単体３に縛り付けられた矯正装置４と共に患者の矯正が必要な各歯部に直接貼付し、接着剤が固化した後、各ベース単体３に縛り付けられた可撓部材５を特定の工具で外し、かつ各ベース単体３を矯正装置４から取り外すと、矯正が必要な歯部の表面にそれら矯正装置４がそれぞれ固定され、歯科医が各矯正装置４を緊密に連接して、矯正装置の取り付け作業が完了する。
【００１４】
図７と図８に示すように、舌側（内側）の矯正装置４を位置決めするときは、唇側と同じ方法で、コンピュータを用いて矯正が必要な歯と矯正装置４の取り付け位置を決定し、歯型模型１の矯正装置４取り付け位置に位置決め部材２をそれぞれ彫刻した後、矯正装置４を位置決め部材２に嵌置して固定する。なお、図７及び図８には、ベース単体３及び光硬化樹脂６を省略してある。
舌側の歯部１１の下側表面は比較的平坦でないため、舌側の矯正装置４を固定するときは、図９に示すように、矯正装置４を位置決め部材２に嵌置する際に、歯部との間に適切な間隔を保ち、この間隔に接着剤７を充填すると、矯正装置４がずれなくてより安定する。
【００１５】
以上は本発明の最良の実施例を説明したものであり、本発明の権利範囲を制限するものではなく、本願の特許請求の範囲を逸脱しない若干の修飾、変更は本発明の権利範囲に含まれる。
【符号の説明】
【００１６】
１        歯型模型
１１      歯部
２        位置決め部材
３        ベース単体
３１      水平鉤部
３２      垂直部
３２１    位置決め溝
４        矯正装置
５        可撓部材
６        光硬化樹脂
７        接着剤
【図１】
2014217759.tif 000003
【図２】
2014217759.tif 000004
【図３】
2014217759.tif 000005
【図４】
2014217759.tif 000006
【図５】
2014217759.tif 000007
【図６】
2014217759.tif 000008
【図７】
2014217759.tif 000009
【図８】
2014217759.tif 000010
【図９】
2014217759.tif 000011